(57)【要約】【課題】視覚的な意匠効果を発揮して、使用者に対し文房具を継続的に使用する動機を与えることができる文房具を提供する。【解決手段】文房具１は、ケース本体１０と、ケース本体１０に回転可能に設けられたリール部２０と、リール部２０に巻かれたテープ４０とを備える。ケース本体１０内においてリール部２０の左右の側面に装飾部材３０が固定され、装飾部材３０は、テープ４０が繰り出される際のリール部２０の回転に従って、ケース本体１０の外部から視認可能な態様でリール部２０と同一方向に回転することを特徴とする。【選択図】図１
2017052130.tif 000002
【特許請求の範囲】
【請求項１】
ケース本体と、該ケース本体に回転可能に設けられたリール部と、該リール部に巻かれた紐状部材または帯状部材とを備える文房具において、
前記ケース本体内において前記リール部の回転軸方向の少なくとも一方側に装飾部材が設けられ、
該装飾部材は、前記紐状部材または帯状部材が繰り出される際の前記リール部の回転に従って、前記ケース本体の外部から視認可能な態様で前記リール部と同一方向に回転することを特徴とする文房具。
【請求項２】
前記装飾部材は、前記リール部の回転軸方向の少なくとも一方側に固定されており、前記リール部と同一角度で回転する請求項１に記載の文房具。
【請求項３】
前記装飾部材は、径方向に延びる複数の羽根部を備え、前記各羽根部が該装飾部材の回転方向に沿って所定間隔で設けられている請求項１又は請求項２に記載の文房具。
【発明の詳細な説明】
【技術分野】
【０００１】
本発明は、修正テープ器具、修正ノリ器具、バッジリール、セロテープ（登録商標）スタンド、キーホルダーコードリール、鉛筆削り、手動バッテリ、手動懐中電灯、充電器あるいは灰皿などの文房具に関するものである。
【背景技術】
【０００２】
従来から、文房具の分野において、内部に紐やテープが巻かれたリールを備え、リールが回転することにより紐またはテープを供給するものなどが知られている。
【０００３】
特許文献１には、ケース本体内に、供給リールと巻取リールを収容し、操作用レバーを操作することにより、駆動爪を介して鋸歯歯車を回転させ、この鋸歯歯車と連動して供給リールを回転させることにより、供給リールから送り出した接着用塗膜が塗布された修正テープを、ケース本体の前端開口部に設けたヘッド部を経由して転写させた後、巻取リールに巻き取るようにしたことを特徴とする修正テープ器具が開示されている。
【０００４】
これによれば、操作用レバーを操作することにより回転する鋸歯歯車と、供給リールとが連動して回転するため、所望の長さの修正テープを確実に送り出すことができるとともに、操作が容易な操作用レバーの操作により修正テープを送り出すことができる。
【０００５】
また、特許文献２には、首紐と、外部から読み取り可能な情報が記録された記録媒体又はこれを収容するケースに一端が接続された吊紐と、首紐に設けられるドラムと、ドラムの内部に設けられ吊紐の他端の側を巻き取るべく回転付勢される回転体（リール）と、吊紐が回転体（リール）の回転付勢に抗してドラムの外部に引き出された状態で回転体（リール）の回転を阻止するための回転阻止部材と、回転阻止部材により回転体（リール）の回転が阻止された状態を解除するための解除部材とを有する調節装置とを備えたバッジリールが開示されている。
【０００６】
これによれば、使用者は、回転阻止部材の操作から解除部材の操作までの間、記録媒体又はそのケースを把持しつつ身体から離した状態を維持する必要がなくなり、首紐をかけたまま記録媒体の情報を外部に読み取らせる操作の利便性が向上する。
【先行技術文献】
【特許文献】
【０００７】
【特許文献１】特開２００７−６９５２９号
【特許文献２】特開２０１０−１１９６７７号
【発明の概要】
【発明が解決しようとする課題】
【０００８】
しかしながら、従来の文房具は、内部から紐やテープが供給されても、外部から観察できる状態変化が何ら生じず、使用者に対して文房具を継続的に使用する動機を与えることができなかった。特に文房具は各社から様々なタイプの商品が販売されており、使用者に対して継続的に使用してもらうことは極めて重要である。
【０００９】
また、上記文房具は、テープや紐が貼付対象から離れた位置で繰り出される場合、使用者が繰り出すテープの長さを目測で計らなければならず、繰り出したテープや紐が長過ぎたり短過ぎたりするといった資源の浪費が生じる虞があった。
【００１０】
本発明は、上述の技術的背景に鑑みてなされたものであり、視覚的な意匠効果を発揮して、使用者に対し文房具を継続的に使用する動機を与えることができる文房具の提供を目的とする。
【課題を解決するための手段】
【００１１】
本発明は、上記目的を達成するために、ケース本体と、該ケース本体に回転可能に設けられたリール部と、該リール部に巻かれた紐状部材または帯状部材とを備える文房具において、前記ケース本体内において前記リール部の回転軸方向の少なくとも一方側に装飾部材が設けられ、該装飾部材は、前記紐状部材または帯状部材が繰り出される際の前記リール部の回転に従って、前記ケース本体の外部から視認可能な態様で前記リール部と同一方向に回転することを特徴とする
【００１２】
これによれば、装飾部材は、前記紐状部材または帯状部材が繰り出される際の前記リール部の回転に従って、前記ケース本体の外部から視認可能な態様で前記リール部と同一方向に回転するため、視覚的な意匠効果を発揮することができる。
【００１３】
また、前記装飾部材は、前記リール部の回転軸方向の少なくとも一方側に固定されており、前記リール部と同一角度で回転するのが好ましい。これによれば、装飾部材は、リール部と同一角度で回転するため、使用者が装飾部材の回転角度を目視することにより紐状部材または帯状部材を正確に所定長さ繰り出すことができる。
【００１４】
また、前記装飾部材は、径方向に延びる複数の羽根部を備え、前記各羽根部が該装飾部材の回転方向に沿って所定間隔で設けられているのが好ましい。これによれば、装飾部材は、各羽根部が刃を連想させ、全体が手裏剣を連想させるといったスタイリッシュな外観を呈することができる。
【発明の効果】
【００１５】
本発明によれば、装飾部材は、紐状部材または帯状部材が繰り出される際のリール部の回転に従って、ケース本体の外部から視認可能な態様でリール部と同一方向に回転するため、視覚的な意匠効果を発揮することができる。このため、使用者に対し文房具を継続的に使用する動機を与えることが可能となる。
【００１６】
また、装飾部材がリール部の回転軸方向の少なくとも一方側に固定されており、リール部と同一角度で回転する場合は、使用者は装飾部材の回転角度を目視することにより紐状部材または帯用部材を正確に所定長さ繰り出すことができる。このため、繰り出した紐状部材または帯状部材が長過ぎたり短過ぎたりする場合が生じず、資源の浪費を防止することができる。
【図面の簡単な説明】
【００１７】
【図１】第１の実施形態に係る文房具（修正テープ器具）の斜視図である。
【図２】図１の文房具の分解斜視図である。
【図３】第２の実施形態に係る文房具（バッジリール）の斜視図である。
【図４】図３の文房具の分解斜視図である。
【発明を実施するための形態】
【００１８】
＜第１の実施形態＞
次に、本発明に係る文房具の第１の実施形態について図１〜図２を参照しつつ説明する。  本実施形態の文房具１は、テープの修正剤を紙面に転写する修正テープ器具であって、図１および図２に示すように、ケース本体１０と、ケース本体１０内において回転可能に設けられたリール部２０と、リール部２０の両側面に固定された装飾部材３０と、リール部２０に巻かれたテープ４０と、テープ４０を紙面に接触させるヘッド部５０とを備えている。
【００１９】
前記ケース本体１０は、図１および図２に示すように、リール部２０と装飾部材３０を収容する透明な部材であって、前端部にテープ４０を外部に繰り出すための矩形状の繰出口１０ａが設けられている。このため、使用者は、ケース本体１０を介して、ケース本体１０内の装飾部材３０を外部から視認することができる。
【００２０】
また、前記ケース本体１０は、右側に設けられた右側ケース部材１１と、左側に設けられた左側ケース部材１２とを備えている。
【００２１】
前記右側ケース部材１１は、厚みが一定の合成樹脂製部材であり、上下方向に延びる右側基板部１１１と、右側基板部１１１から左方向に延びる右側側板部１１２とを備えている。
【００２２】
前記右側基板部１１１は、前方部が３０°〜６０°の角度をなす直線状に形成され、後方部が円弧をなす曲線状に形成されている。また、右側基板部１１１は、前方部の中央部から左方向に延びる円柱状の軸部材１１１ａを備えており、後述するように、軸部材１１１ａは左側ケース部材１２の嵌込凹部１２１ａに嵌り込む。また、右側基板部１１１は、後方部の中央部から左方向に延びる円柱状の軸部材１１１ｂを備えており、後述するように、軸部材１１１ｂは左側ケース部材１２の軸受部材１２１ｂに嵌り込む。
【００２３】
前記左側ケース部材１２は、右側ケース部材１１と同様に、厚みが一定の合成樹脂製部材であり、上下方向に延びる左側基板部１２１と、左側基板部１２１から右方向に延びる左側側板部１２２とを備えている。
【００２４】
前記左側基板部１２１は、前方部が３０°〜６０°の角度をなす直線状に形成され、後方部がが円弧をなす曲線状に形成されている。また、左側基板部１２１は、前方部の中央部に円形の嵌込凹部１２１ａが設けられており、右側ケース部材１１の軸部材１１１ａが嵌込凹部１２１ａに嵌り込む。また、左側基板部１２１は、後方部の中央部から左方向に延びる円筒状の軸受部材１２１ｂを備えており、後述するように、右側ケース部材１１の軸部材１１１ｂが軸受部材１２１ｂに嵌り込む。
【００２５】
前記リール部２０は、テープ４０をヘッド部５０に繰り出す繰出リール２０ａと、テープ４０をヘッド部５０から巻き取る巻取リール２０ｂからなる。
【００２６】
前記繰出リール２０ａは、図２に示すように、外径が３０ｍｍ〜４０ｍｍ、内径が１０ｍｍ〜２０ｍｍ、厚みが５ｍｍ〜１０ｍｍのリング状の合成樹脂製部材であり、外側面に繰出前のテープ４０が巻かれている。繰出リール２０ａは、径方向の中心部に繰出リール２０ａを厚み方向に貫通する貫通孔２１ａが設けられており、貫通孔２１ａにケース本体１０の軸受部材１２１ｂが挿入されている。これにより、繰出リール２０ａは、軸受部材１２１ｂを中心に周方向に回転しながら、テープ４０をヘッド部５０側に繰り出すことができる。なお、繰出リール２０ａは、外側面にテープ４０の基端部が固定されている。
【００２７】
前記巻取リール２０ｂは、図２に示すように、外径が１０ｍｍ〜２０ｍｍ、内径が５ｍｍ〜１０ｍｍ、厚みが５ｍｍ〜１０ｍｍのリング状の合成樹脂製部材であり、外側面に巻取後のテープ４０が巻かれている。巻取リール２０ｂは、径方向の中心部に巻取リール２０ｂを厚み方向に貫通する貫通孔２１ｂが設けられており、貫通孔２１ｂにケース本体１０の軸部材１１１ａが挿入されている。また、巻取リール２０ｂは、図示略のギヤを介して繰出リール２０ａと連結されている。これにより、巻取リール２０ｂは、繰出リール２０ａと連動して、軸部材１１１ａを中心に周方向に回転しながら、テープ４０をヘッド部５０側から巻き取ることができる。なお、巻取リール２０ｂは、外側面にテープ４０の先端部が固定されている。
【００２８】
前記装飾部材３０は、繰出リール２０ａの左右の側面に固定されている装飾部材３０ａと、巻取リール２０ｂの左右の側面に固定されている装飾部材３０ｂからなり、各装飾部材３０ａ，３０ｂは、図２に示すように、厚みが１ｍｍ〜３ｍｍの板状の合成樹脂製部材である。
【００２９】
前記装飾部材３０ａは、径方向の中心部に装飾部材３０ａを厚み方向に貫通する貫通孔３１ａが設けられ、貫通孔３１ａにケース本体１０の軸受部材１２１ｂが挿入されている。これにより、装飾部材３０ａは、軸受部材１２１ｂを中心に繰出リール２０ａと同一方向に回転することができる。
【００３０】
前記装飾部材３０ｂは、同様に、径方向の中心部に装飾部材３０ｂを厚み方向に貫通する貫通孔３１ｂが設けられ、貫通孔３１ｂにケース本体１０の軸部材１１１ａが挿入されている。これにより、装飾部材３０ｂは、軸部材１１１ａを中心に巻取リール２０ｂと同一方向に回転することができる。
【００３１】
また、前記各装飾部材３０ａ，３０ｂは、外径がケース本体１０の軸部材１２１ｂ，１１１ａを中心とする内径より小さく設けられている。このため、装飾部材３０ａ，３０ｂは、ケース本体１０と干渉することなく円滑に回転することができる。
【００３２】
また、前記各装飾部材３０ａ，３０ｂは、図１および図２に示すように、風車型の手裏剣の形状を呈している。具体的には、径方向に延びる４枚の羽根部３２ａ，３２ｂを備え、各羽根部３２ａ，３２ｂが装飾部材３０の回転方向に沿って等間隔で設けられている。各羽根部３２ａ，３２ｂは、先細形状に形成されており、先端部に向かうに従い回転方向の一方側に次第に傾斜する態様で設けられている。また、前記各装飾部材３０ａ，３０ｂは、各羽根部３２ａ，３２ｂの基端部に径内側方向に切り欠かれた円弧状の切欠凹部３３ａ，３３ｂが設けられている。さらに、各装飾部材３０ａ，３０ｂは、全体が黒色やメタリックカラーに着色されている。これによれば、各装飾部材３０ａ，３０ｂは、各羽根部３２ａ，３２ｂが刃を連想させ、全体が手裏剣を連想させるといったスタイリッシュな外観を呈することができる。
【００３３】
前記テープ４０は、外側面に剥離可能な白色の修正剤が塗布された幅が３ｍｍ〜１０ｍｍの合成樹脂製のテープである。このテープ４０は、繰出リール２０ａからヘッド部５０に繰り出され、ヘッド部５０において修正剤が剥離され、ヘッド部５０から巻取リール２０ｂに巻き取られる。
【００３４】
前記ヘッド部５０は、ケース本体１０の繰出口１０ａの縁部に設けられており、右側に設けられた右側ガイド板５１と、左側に設けられた左側ガイド板５２と、右側ガイド板５１と左側ガイド板５２の間に設けられたヘッドローラ５３を備えている。
【００３５】
前記右側ガイド板５１と前記左側ガイド板５２は、底辺部と前側上辺部と後側上辺部を有する三角形状の板であって、互いに平行する態様で設けられている。この右側ガイド板５１と左側ガイド板５２は、各下辺部によって繰出リール２０ａから繰り出されたテープ４０をヘッドローラ５３に案内し、各前側上辺部によってヘッドローラ５３から巻き取られるテープ４０を巻取リール２０ｂに案内する。                   
【００３６】
前記ヘッドローラ５３は、左右方向に延びる筒状部材であって、周方向に回転可能に設けられている。このヘッドローラ５３は、テープ４０を紙面に押圧しながら周方向に回転してテープ４０の修正剤を剥離させ、修正剤をテープ４０から紙面に転写する。同時に、ヘッドローラ５３は、転写後のテープ４０をテープ４０を巻取リール２０ｂ側に送り出し、テープ４０を巻取リール２０ｂに巻き取らせる。
【００３７】
次に、文房具１の使用方法について説明する。
【００３８】
まず、使用者は、文房具１を手に取り、ヘッド部５０のヘッドローラ５３を紙面に押圧しながら紙面上を滑らせる。
【００３９】
すると、繰出リール２０ａが、周方向に回転しながらテープ４０をヘッド部５０側に繰り出す。このとき、装飾部材３０ａは、ケース本体１０の軸受部材１２１ｂを中心に繰出リール２０ａと同一方向に回転する。
【００４０】
また、 ヘッドローラ５３は、テープ４０を紙面に押圧しながら周方向に回転してテープ４０の修正剤を剥離させ、修正剤をテープ４０から紙面に転写する。同時に、ヘッドローラ５３は、転写後のテープ４０を巻取リール２０ｂ側に送り出す。
【００４１】
すると、巻取リール２０ｂが、繰出リール２０ａと連動して周方向に回転しながら、テープ４０をヘッド部５０側から巻き取る。このとき、装飾部材３０ｂは、ケース本体１０の軸部材１１１ａを中心に巻取リール２０ｂと同一方向に回転する。
【００４２】
而して、装飾部材３０ａ，３０ｂは、テープ４０が繰り出される際のリール２０ａ，２０ｂの回転に従って、ケース本体１０の外部から視認可能な態様でリール２０ａ，２０ｂと同一方向に回転するため、視覚的な意匠効果を発揮することができる。
【００４３】
また、装飾部材３０ａ，３０ｂが、リール２０ａ，２０ｂと同一角度で回転するため、使用者は装飾部材３０ａ，３０ｂの回転角度を目視することによりテープ４０を正確に所定長さ繰り出すことができる。このため、繰り出したテープ４０が長過ぎたり短過ぎたりする場合が生じず、資源の浪費を防止することができる。  
【００４４】
なお、上記実施形態では、前記装飾部材３０は、リール部２０の左右の側面に設けられるとしたが、リール部２０の左の側面のみに設けられてもよいし、リール部２０の右の側面のみに設けられてもよい。
【００４５】
また、前記装飾部材３０は、リール部２０の側面に固定されているとしたが、リール部２０の側面に固定されていなくてもよい。
【００４６】
＜第２の実施形態＞
次に、本発明に係る文房具の第２の実施形態について図３〜図４を参照しつつ説明する。なお、以下では上記の実施形態と異なる構成についてのみ説明することとし、同一の構成については説明を省略して同一の符号を付すこととする。
【００４７】
本実施形態の文房具２は、バッジ・名札・ＩＤカード（以下バッジ等という。）を首に吊り下げ得るバッジリールであって、図３および図４に示すように、ケース本体１０と、ケース本体１０内において回転可能に設けられたリール部２０と、リール部２０の前面に固定された装飾部材３０と、リール部２０に巻まれた吊下紐４０と、吊下紐４０の先端に設けられた取付部６０と、図示略の首紐とを備えている。なお、吊下紐４０は、合成繊維または天然繊維が束ねられた紐である。
【００４８】
前記ケース本体１０は、図３および図４に示すように、リール部２０と装飾部材３０を収容する透明な部材であって、下端部に吊下紐４０を外部に繰り出すための円形状の繰出口１０ａが設けられている。このため、使用者は、ケース本体１０を介して、ケース本体１０内の装飾部材３０を外部から視認することができる。
【００４９】
また、前記ケース本体１０は、前側に設けられた前側ケース部材１３と、後側に設けられた後側ケース部材１４とを備えている。
【００５０】
前記前側ケース部材１３は、厚みが一定の合成樹脂製部材であり、前側に設けられた前側基板部１３１と、前側基板部１３１から後方向に延びる前側側板部１３２とを備えている。
【００５１】
前記前側基板部１３１は、径が３０ｍｍ〜５０ｍｍの円板形状を呈し、周縁部がわずかに後方に傾斜している。また、前側基板部１３１は、中央部から左方向に延びる円柱状の軸部材１３１ａを備えており、後述するように、軸部材１３１ａは後側ケース部材１４の軸受部材１４１ａに嵌り込む。
【００５２】
また、前記前側側板部１３２は、前後方向の長さが５ｍｍ〜１５ｍｍで、前側基板部１３１の周縁部に環状に設けられている。
【００５３】
前記後側ケース部材１４は、厚みが一定の合成樹脂製部材であり、後側に設けられた後側基板部１４１と、後側基板部１４１から前方向に延びる後側側板部１４２とを備えている。
【００５４】
前記後側基板部１４１は、径が３０ｍｍ〜５０ｍｍの円板形状を呈し、周縁部がわずかに前方に傾斜している。また、後側基板部１４１は、中央部から前方向に延びる円筒状の軸受部材１４１ａを備えており、前側ケース部材１３の軸部材１３１ａが軸受部材１４１ａに嵌り込む。
【００５５】
また、前記後側側板部１４２は、前後方向の長さが５ｍｍ〜１５ｍｍで、後側基板部１４１の周縁部に環状に設けられている。
【００５６】
前記リール部２０は、図４に示すように、外径が１０ｍｍ〜２０ｍｍ、内径が５ｍｍ〜１５ｍｍ、厚みが５ｍｍ〜２０ｍｍのリング状の合成樹脂製部材であり、外側面に繰出前の吊下紐４０が巻かれている。また、リール部２０は、径方向の中心部にリール部２０を厚み方向に貫通する貫通孔２１が設けられており、貫通孔２１にケース本体１０の軸受部材１４１ａが挿入されている。これにより、リール部２０は、軸受部材１４１ａを中心に周方向に回転しながら、外側面に吊下紐４０を取付部６０側に繰り出すことができる。なお、リール部２０は、吊下紐４０の基端部が固定されている。
【００５７】
前記装飾部材３０は、リール部２０の前面に固定されており、図４に示すように、厚みが１ｍｍ〜３ｍｍの板状の合成樹脂製部材である。
【００５８】
また、前記装飾部材３０は、径方向の中心部に装飾部材３０を厚み方向に貫通する貫通孔３１が設けられ、貫通孔３１にケース本体１０の軸受部材１４１ａが挿入されている。これにより、装飾部材３０は、軸受部材１４１ａを中心にリール部２０と同一方向に回転することができる。
【００５９】
また、前記装飾部材３０は、外径がケース本体１０の軸部材１３１ａ，１４１ａを中心とする内径より小さく設けられている。このため、装飾部材３０は、ケース本体１０と干渉することなく円滑に回転することができる。
【００６０】
前記取付部６０は、バッジ等が取り付けられる取付部であって、吊下紐４０の先端部に結び付けられたリング部６１と、リング部６１の吊下紐４０側に設けられた摘み部６２を備えている。前記リング部６１は、バッジ等の取付ピンが挿入される環状金具である。前記摘み部６２は、吊下紐４０を繰り出す際に、使用者が摘む部材であって、長さ方向の中間部に絞りが設けられている。この摘み部６２は、内部を長さ方向に貫通する貫通孔６２ａが設けられており、貫通孔６２ａに吊下紐４０の先端部が挿入されている。なお、前記リング部６１は、摘み部６２の位置を変更することでリングの内径が調整可能な紐であってもよい。
【００６１】
次に、文房具２の使用方法について説明する。
【００６２】
まず、使用者は、文房具２を手に取り、取付部６０のリング部６１にバッジ等を取り付け、首紐を自身の首に掛けたあと、取付部６０の摘み部６２の摘んで、摘み部６２でリング部６１を下方（図３の矢符の方向）に移動させる。
【００６３】
すると、リール部２０が、周方向に回転しながら吊下紐４０を取付部６０側に繰り出す。このとき、装飾部材３０は、ケース本体１０の軸受部材１４１ａを中心にリール部２０と同一方向に回転する。
【００６４】
而して、装飾部材３０は、吊下紐４０が繰り出される際のリール部２０の回転に従って、ケース本体１０の外部から視認可能な態様でリール部２０と同一方向に回転するため、視覚的な意匠効果を発揮することができる。
【００６５】
なお、上記実施形態では、前記装飾部材３０は、リール部２０の前方に設けられるとしたが、リール部２０の後方に設けられてもよいし、リール部２０の前方と後方の両方に設けられてもよい。
【００６６】
また、前記装飾部材３０は、リール部２０に固定されているとしたが、リール部２０の固定されていなくてもよい。
【００６７】
また、前記装飾部材３０は、風車型の手裏剣の形状を呈しているとしたが、風車型の手裏剣の形状以外の形状を呈していてもよい。
【００６８】
また、上記の実施形態では、修正テープ器具とバッジリールについて説明したが、これに限定されるものではなく、修正ノリ器具、セロテープ（登録商標）スタンド、キーホルダーコードリール、鉛筆削り、手動バッテリ、手動懐中電灯、充電器あるいは灰皿などの文房具に適用してもよい。要は、ケース本体と、該ケース本体に回転可能に設けられたリール部と、該リール部に巻かれた紐状部材または帯状部材とを備える文房具であれば、どのような文房具に適用してもよい。
【００６９】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００７０】
１，２…文房具
１０…ケース本体
１０ａ…繰出口
１１…右側ケース部材
１１１…右側基板部
１１１ａ…軸部材
１１１ｂ…軸部材
１１２…右側側板部
１２…左側ケース部材
１２１…左側基板部
１２１ａ…嵌込凹部
１２１ｂ…軸受部材
１２２…左側側板部
１３…前側ケース部材
１３１…前側基板部
１３１ａ…軸部材
１３２…前側側板部
１４…後側ケース部材
１４１…後側基板部
１４１ａ…軸受部材
１４２…後側側板部
２０…リール部
２０ａ…繰出リール
２０ｂ…巻取リール
２１（２１ａ、２１ｂ）…貫通孔
３０（３０ａ，３０ｂ）…装飾部材
３１（３１ａ，３１ｂ）…貫通孔
３２（３２ａ，３２ｂ）…羽根部
３３（３３ａ，３３ｂ）…切欠凹部
４０…テープ、吊下紐
５０…ヘッド部
５１…右側ガイド板
５２…左側ガイド板
５３…ヘッドローラ
６０…取付部
６１…リング部
６２…摘み部
【図１】
2017052130.tif 000003
【図２】
2017052130.tif 000004
【図３】
2017052130.tif 000005
【図４】
2017052130.tif 000006